(57)【特許請求の範囲】
【請求項１】
配管の外周の形成したフランジと管継手の外周に形成したフランジを重ね合わせ、これら両フランジに抱束リングのフランジ用スリットを弾性的に嵌合して配管と管継手を接続する配管接続構造に於いて、配管又は管継手の少なくともいづれか一方の外周に前記フランジより薄い肉厚の鍔部を形成し、抱束リングはフランジ用スリットと併設して開口した鍔部用スリットの上下幅を前記フランジの肉厚より小で、かつ前記鍔部の肉厚より大となるように設定したことを特徴とする配管接続構造。
【発明の詳細な説明】
【０００１】
【発明の属する技術分野】
この発明は、各種配管を抱束リングを用いてワンタッチでかつ確実に接続することのできる配管接続構造に関する。
【０００２】
【従来の技術】
従来、配管部材を拘束リングによりワンタッチで接続することができるようにしたものとして図１１のものがある。この図１１に就いて簡単に説明すると、配管３１及び管継手３４は互いの先端周縁に同一形状のフランジ３２、３５を形成し、管継手３４は軸方向の挿孔３６に配管３１の先端部３３を挿入した際に配管３１との水密を維持するためのＯリング３７を装着し、別に設けた抱束リング３８は弾性力を有する薄い金属板を略コの字形に屈曲させて形成し、前記両フランジ３２、３５を嵌入させるためのスリット３９を開口し、配管３１と管継手３４は互いのフランジ３２、３５を重ね合わせて嵌合した後に抱束リング３８のスリット３９に両フランジ３２、３５の周縁部を弾性的に嵌入させることによって抜け止めを行ない水密的に接続したものである。
【０００３】
上記のものにあっては図１２に示すように、配管３１と管継手３４を接続する場合に配管３１の先端部３３が管継手３４の挿孔３６に深く挿入されておらず、両フランジ３２、３５が重なり合っていない不完全な結合状態であっても、拘束リング３８に一方のフランジが嵌入されていない状態で他方のフランジを嵌入することができるものであり、施工者が抱束リングを誤装着したことに気づかないで通水をすると、配管を通過する流体の水圧により抱束リングが脱落し、配管と管継手が外れてしまい周囲を水浸しにして多大の損害をこうむる恐れがあった。
【０００４】
【発明が解決しようとする課題】
本発明が解決しようとする課題は、配管の接続時に配管が管継手に正常に結合されていない場合は抱束リングを通常に装着することができないようにすることで、配管の誤接続を施工者に認識できるようにすることである。
【０００５】
【課題を解決するための手段】
本発明は配管の外周に形成したフランジと管継手の外周に形成したフランジを重ね合わせ、これら両フランジに抱束リングのフランジ用スリットを弾性的に嵌合して配管と管継手を接続する配管接続構造に於いて、配管又は管継手の少なくともいづれか一方の外周に前記フランジより薄い肉厚の鍔部を形成し、抱束リングはフランジ用スリットと併設して開口した鍔部用スリットの上下幅を前記フランジの肉厚より小で、かつ前記鍔部の肉厚より大となるように設定したものである。
【０００６】
【発明の実施の形態】
以下、本発明の実施例を図に基づいて詳細に説明する。
図１及び図２は互いに接続する配管１と管継手７の断面図であり、図３は抱束リング１６の斜視図である。
【０００７】
図１に示す配管１は金具２をかしめ具３により固定し、該かしめ具３の周囲をガイド４により被覆したものであり、この金具２には外径を大きくしたフランジ５を一体的に形成し、該フランジ５の下方に下端部６を延設して形成している。
【０００８】
管継手７は上部に前記配管１の下端部６を挿入する挿孔８を開口した上端部９が突出して形成され、該上端部９の先端に前記配管１のフランジ５と同一の外径かつ略同一の肉厚のフランジ１０を一体的に形成し、該フランジ１０よりやや下部にはフランジ５、１０と外径は同一であるが上下の肉厚をやや薄くなるように設定した鍔部１１を一体的に形成し、この管継手７の内部環状溝１２にはシール用のＯリング１３を装着し、内部環状溝１２の下部に形成した弁室１４には逆止弁１５を介在させている。
【０００９】
配管１と管継手７を接続するための抱束リング１６は図３に示すように、弾性力を有する薄い金属板を略コの字形に屈曲させて形成したもので、基部１７の両端から外側へ弓状に膨出して湾曲させた係止部１８及び先端で外側へハの字形に開いた脚部１９を設け、該両脚部１９の間に配管１及び管継手７を水平方向に挿通し、前記フランジ５、１０の直径より狭い幅の開口部２０を形成し、この基部１７から脚部１９にかけて前記配管１と管継手７の両フランジ５、１０を重ね合わせた厚みを嵌入可能な上下幅で横長のフランジ用スリット２１を開口している。該フランジ用スリット２１の上下にはさらに鍔部用スリット２２、２２ａを夫々開口している。この鍔部用スリット２２、２２ａは前記フランジ用スリット２１に両フランジ５、１０を嵌合した場合に鍔部１１と向かい合う位置に開口し、前記フランジ用スリット２１と横幅は同一であるが上下幅を小さく開口している。即ち鍔部用スリット２２、２２ａの上下幅を前記管継手７の鍔部１１の肉厚より大きくすることで鍔部１１は嵌入可能であるが、配管１のフランジ５又は管継手７のフランジ１０の肉厚より上下幅を小さくすることで、フランジ５、１０のいづれも嵌入することができないように設定している。
【００１０】
上記構成に於いて配管１と管継手７を接続するには図１に示すように、まず配管１の下端部６を管継手７の挿孔８内に挿入し、互いのフランジ５、１０を重ね合せて嵌合する。次に図２に示すように抱束リング１６を水平方向に押圧し先端の両脚部１９を拡開しながら配管１と管継手７の接続部に弾性的に装着し、フランジ用スリット２１内にフランジ５、１０の周縁部を嵌入し、鍔部用スリット２２内に鍔部１１の周縁部を嵌入すれば、フランジ５、１０は周縁部の一部がフランジ用スリット２１から飛び出し、鍔部１１は周縁部の一部が鍔部用スリット２２から飛び出して抜け止めが行なわれ、配管１と管継手７は内部環状溝１２に装着したＯリング１３が配管１の下端部６周面にシールされた状態で水密的に接続することができる。
【００１１】
次に図４に示すように、配管１のフランジ５と管継手７のフランジ１０が互いに重なり合っていない不完全な配管１の挿入状態で接続しようとする場合、拘束リング１６のフランジ用スリット２１内には重なり合っていない両フランジ５、１０の両方を嵌入するほどの上下幅を設けていないので、両フランジ５、１０を嵌入することはできないうえ、図５のようにフランジ１０を下部の鍔部用スリット２２に、又は図６のようにフランジ５を上部の鍔部用スリット２２、２２ａに嵌入しようとしても、各フランジ５、１０の肉厚は鍔部用スリット２２、２２ａの上下幅よりも大であるため嵌入することはできず、施工者は配管１と管継手７の接続状態が正常でないことを認識することができ、配管１の下端部６を管継手７の挿孔８内に両フランジ５、１０が重なり合うまで深く押し込む必要があることを理解できる。
【００１２】
また、図７に示すように配管１の下端部６が管継手７のＯリング１３に接するまで挿入されていない浅い結合状態で抱束リング１６を装着すると、図８に示すようにフランジ５からフランジ１０までの間隔が広いためフランジ用スリット２１に管継手７のフランジ１０のみが嵌入し、下部の鍔部用スリット２２に鍔部１１が嵌入し、配管１のフランジ５は抱束リング１６の上部に位置してどこにも嵌まらない状態となりスムーズに抱束リング１６を嵌められるので正常に抱束リング１６が嵌入されているようであるが、管継手７のＯリング１３は配管１の下端部６に接しておらず全くシールしていないため管継手７に通水をすれば多量の水漏れが発生し、施工者は正常な接続状態でないことに気づき、再度接続し直す必要があることを認識できる。
【００１３】
なお、上述した実施例においては鍔部１１を管継手７に形成したが、図９及び図１０に示すように配管１ａの金具２に鍔部１１ａを形成してもよく、また、配管１と管継手７の両方に鍔部１１を形成してもよい。
【００１４】
【発明の効果】
この発明は上記の構成であるから、次の利点を有する。
（１）配管の外周に形成したフランジと管継手の外周に形成したフランジを重ね合わせてこれら両フランジに抱束リングのフランジ用スリットを弾性的に嵌め合せて配管と嵌継手を接続する配管接続構造に於いて、配管又は管継手の少なくともいづれか一方の外周に前記フランジより薄い肉厚の鍔部を形成し、抱束リングはフランジ用スリットと併設して開口した鍔部用スリットの上下幅を前記フランジの肉厚より小で、かつ前記鍔部の肉厚より大となるように設定したので、配管と管継手が正常に結合されていないと拘束リングのフランジ用スリットに両フランジを、及び鍔部用スリットに鍔部を嵌入することができず、抱束リングを装着できないので配管と管継手の抜け止めを行なうことができない構造であり、又、抱束リングを装着して抜け止めを行なうことができれば正常に接続されていることであり、配管と管継手の接続ミスがなく接続不良による水漏れを確実に防止することができる。
【図面の簡単な説明】
【図１】配管と管継手の正常な接続状態の正面図である。
【図２】図２に於いて抱束リングを装着した状態の説明図である。
【図３】拘束リングの斜視図である。
【図４】配管と管継手の正常でない接続状態の断面図である。
【図５】図４に於いて抱束リングを装着しようとする場合の説明図である。
【図６】図４に於いて抱束リングを装着しようとする場合の別の説明図である。
【図７】配管と管継手の正常でない別の接続状態の断面図である。
【図８】図７に於いて抱束リングを装着した状態の説明図である。
【図９】別の実施例の説明図である。
【図１０】図９に於いて抱束リングを装着した状態の説明図である。
【図１１】従来技術の説明図である。
【図１２】図１１に於いて正常でない接続状態の説明図である。
【符号の説明】
１、１ａ        配管
５、１０      フランジ
７            管継手
１１、１１ａ    鍔部
１６          抱束リング
２１          フランジ用スリット
２２、２２ａ  鍔部用スリット
【図１】
0003568348.tif 000002
【図２】
0003568348.tif 000003
【図３】
0003568348.tif 000004
【図４】
0003568348.tif 000005
【図５】
0003568348.tif 000006
【図６】
0003568348.tif 000007
【図７】
0003568348.tif 000008
【図８】
0003568348.tif 000009
【図９】
0003568348.tif 000010
【図１０】
0003568348.tif 000011
【図１１】
0003568348.tif 000012
【図１２】
0003568348.tif 000013